(57)【特許請求の範囲】
【請求項１】
第１抽選を行う第１抽選部と、第２抽選を行う第２抽選部を備える抽選装置であって、
前記第１抽選部は、
前記第１抽選部に第１抽選用媒体を投入する第１投入部と、
前記第１投入部から投入された前記第１抽選用媒体を捕捉することが可能であり、前記第１抽選用媒体を捕捉した「入」状態と、前記第１抽選用媒体を捕捉していない「空」状態を取り得る少なくとも１つの維持捕捉部と、
前記第１投入部から投入された前記第１抽選用媒体を捕捉することが可能な少なくとも１つの当選捕捉部を有し、
前記第２抽選部は、
前記第２抽選部に第２抽選用媒体を投入する第２投入部を有し、
前記第１投入部から前記第１抽選用媒体が投入されることにより前記第１抽選が行われ、
前記第１抽選において前記「入」状態になった前記維持捕捉部は、少なくとも次の前記第１抽選まで前記「入」状態に維持され、
前記第１抽選において前記当選捕捉部が前記第１抽選用媒体を捕捉したことを契機として、前記「入」状態となっている前記維持捕捉部の数に応じた数の前記第２抽選用媒体が前記第２投入部から前記第２抽選部に投入されることにより前記第２抽選が行われることを特徴とする抽選装置。
【請求項２】
前記第１抽選部が、
前記維持捕捉部及び前記当選捕捉部に捕捉されなかった前記第１抽選用媒体を回収する回収部を更に有することを特徴とする請求項１に記載の抽選装置。
【請求項３】
前記「入」状態の前記維持捕捉部の数が多くなる程、前記第１抽選において前記当選捕捉部が前記第１抽選用媒体を捕捉する確率が高くなることを特徴とする請求項１又は２に記載の抽選装置。
【請求項４】
前記第１抽選において前記当選捕捉部が前記第１抽選用媒体を捕捉したときに、前記「入」状態の前記維持捕捉部に捕捉されていた前記第１抽選用媒体が前記第２抽選用媒体として前記第２投入部から前記第２抽選部に投入されることにより前記第２抽選が行われることを特徴とする請求項１〜３のいずれか一項に記載の抽選装置。
【請求項５】
前記第２抽選部に投入された前記第２抽選用媒体の数に応じた数の第３抽選用媒体を前記第２抽選の終了後に前記第１抽選部に投入する第３投入部を更に有することを特徴とする請求項１〜４のいずれか一項に記載の抽選装置。
【請求項６】
前記第２抽選部に投入された前記第２抽選用媒体を第３抽選用媒体として前記第２抽選の終了後に前記第１抽選部に投入する第３投入部を更に有することを特徴とする請求項１〜４のいずれか一項に記載の抽選装置。
【請求項７】
前記第３投入部から前記第１抽選部に投入された前記第３抽選用媒体が前記当選捕捉部に捕捉されることを阻止する阻止手段を更に備えることを特徴とする請求項５又は６に記載の抽選装置。
【請求項８】
前記第３投入部は、前記当選捕捉部を開放する状態と遮蔽する状態の間での遷移が可能であり、
前記第３投入部が前記第３抽選用媒体を前記第１抽選部に投入する際に前記第３投入部が前記遮蔽する状態に遷移することにより、前記第３投入部から前記第１抽選部に投入された前記第３抽選用媒体が前記当選捕捉部に捕捉されることが阻止されることを特徴とする請求項７に記載の抽選装置。
【請求項９】
前記第２抽選部が、
前記第２投入部から投入された前記第２抽選用媒体を１つだけ捕捉することが可能な少なくとも１つの通常捕捉部と、
前記第２投入部から投入された前記第２抽選用媒体を捕捉することが可能な少なくとも１つのＪＰ捕捉部を有することを特徴とする請求項１〜８のいずれか一項に記載の抽選装置。
【発明の詳細な説明】
【技術分野】
【０００１】
本発明は、抽選を行う抽選装置に関する。
【背景技術】
【０００２】
従来、ボール等の有体物を抽選用媒体として用いて物理的抽選（あるいは機械式抽選）を行う抽選装置が知られている。物理的抽選は、コンピュータにより抽選結果を決定するデジタル抽選と異なり、遊技者が抽選の過程を直接視認できることから、ソフトウェア的な操作やごまかしへの疑念を生みにくく、遊技者に信頼感を与え易い点で優れている。
【０００３】
特許文献１には、抽選用媒体としてボールを使用した抽選が複数段階で行なわれる抽選装置が示されている。この抽選装置は、第１段階の抽選を行う第３抽選部４０と、第２段階の抽選を行うＪＰ抽選部９Ｂを有している。第３抽選部４０は、ボールを捕捉可能な維持捕捉部５８Ａ及びＪＰ捕捉部６８を有している。維持捕捉部５８Ａは、ボールを捕捉すると「入」状態となり、複数回の抽選に渡ってその「入」状態が維持される。維持捕捉部５８Ａは、ボールを捕捉していない「空」状態のときのみボールを捕捉することが可能であり、「入」状態の維持捕捉部５８Ａは、ボールを捕捉することはできない。ＪＰ捕捉部６８がボールを捕捉すると、ＪＰ抽選部９Ｂでの第２段階の抽選が実行される。
【０００４】
上記抽選装置では、第２段階の抽選での当たりを第１段階よりも大きくするなどによって、遊技者の期待感を段階的に高めることができるため、興趣性に優れた抽選を行うことが可能である。
【０００５】
また、抽選を繰り返すうちに「入」状態の維持捕捉部５８Ａの数が多くなり、それに伴って第１段階の抽選で当選となる確率（ＪＰ捕捉部がボールを捕捉する確率）が高くなる。そのため、遊技者に繰り返して抽選したくなる気持ちを起こさせることができ、抽選が反復して実行される傾向（反復傾向）を高くすることが可能である。
【先行技術文献】
【特許文献】
【０００６】
【特許文献１】特開２０１１−２３９９６５号公報
【発明の概要】
【発明が解決しようとする課題】
【０００７】
上記の通り、特許文献１の抽選装置は、抽選を行うことで維持捕捉部５８Ａが「入」状態になると次の抽選での当選の確率が高くなるという形で複数の抽選に関連性を生じさせ、それにより、反復傾向を高める効果を達成するものである。
【０００８】
しかし、特許文献１の抽選装置では、同一段階（第１段階）の抽選の間で関連性を生じるのみであり、異なる段階（第１段階と第２段階）の抽選に関連性を生じさせることはできなかった。すなわち、「入」状態の維持捕捉部５８Ａが増えても、第１段階の抽選での当選の確率（ＪＰ捕捉部６８がボールＢを捕捉する確率）が高くなるだけであり、第２段階の抽選は、「入」状態の維持捕捉部５８Ａの個数とは無関係に常に同じ態様で行われていた。そのため、第２段階の抽選での意外性が乏しく、反復傾向を高める効果も限定的となっていた。
【０００９】
本発明は、上記問題に鑑みてなされたものであり、本発明の主要な目的は以下の通りである。
【００１０】
すなわち本発明の目的は、複数段階で抽選を行う抽選装置であって、異なる段階の抽選に関係性を持たせることによって、抽選の興趣性及び／又は反復傾向を高められた抽選装置を提供することである。
【課題を解決するための手段】
【００１１】
本明細書には、
第１抽選を行う第１抽選部と、第２抽選を行う第２抽選部を備える抽選装置であって、
前記第１抽選部は、
前記第１抽選部に第１抽選用媒体を投入する第１投入部と、
前記第１投入部から投入された前記第１抽選用媒体を捕捉することが可能であり、第１抽選用媒体を捕捉した「入」状態と、前記第１抽選用媒体を捕捉していない「空」状態を取り得る少なくとも１つの維持捕捉部と、
前記第１投入部から投入された前記第１抽選用媒体を捕捉することが可能な少なくとも１つの当選捕捉部を有し、
前記第２抽選部は、
前記第２抽選部に第２抽選用媒体を投入する第２投入部を有し、
前記第１投入部から前記第１抽選用媒体が投入されることにより前記第１抽選が行われ、
前記第１抽選において前記「入」状態になった前記維持捕捉部は、少なくとも次の前記第１抽選まで前記「入」状態に維持され、
前記第１抽選において前記当選捕捉部が前記第１抽選用媒体を捕捉したときに、前記「入」状態の前記維持捕捉部の数に応じた数の前記第２抽選用媒体が前記第２投入部から前記第２抽選部に投入されることにより前記第２抽選が行われることを特徴とする抽選装置（第１発明）が開示される。
【００１２】
上記第１発明では、第１投入部から投入された第１抽選用媒体が、当選捕捉部に捕捉されるか否か、或いは、維持捕捉部と当選捕捉部のどちらに捕捉されるかなどを内容とする第１抽選を行うことが可能である。
【００１３】
そして、第１抽選用媒体が当選捕捉部に捕捉された場合には、「入」状態の維持捕捉部の数に応じた数の第２抽選用媒体が第２投入部から第２抽選部に投入される。このように、第１抽選の過程（「入」状態の維持捕捉部の数）によって第２抽選の態様（第２抽選で投入される第２抽選用媒体の数）が変化することになるため、抽選の興趣性を高めることが可能である。
【００１４】
また、第１抽選において「入」状態になった維持捕捉部は、少なくとも次の第１抽選まで「入」状態に維持される。従って、第１抽選においていずれかの維持捕捉部が「入」状態になると、次の第１抽選で当選捕捉部に第１抽選用媒体が捕捉されたときに第２抽選部に投入される第２抽選用媒体の数が変化する。そのため、次の第１抽選に対する遊技者の期待感を高めることが可能であり、それにより、抽選の反復傾向を高めることが可能である。
【００１５】
本発明の「第１抽選用媒体」、「第２抽選用媒体」の形状、サイズ、材質等は任意である。第１、第２抽選用媒体の例としては、球形のボールや円板状のメダル、サイコロ等の多面体を挙げることができる。第１、第２抽選用媒体は、第１抽選と第２抽選で共通のものを使用しても良く、それぞれ専用のものを使用しても良い。第１、第２抽選用媒体は、形状、サイズ、材質等が同じでも良く、相違しても良い。
【００１６】
本発明の「維持捕捉部」及び「当選捕捉部」は、第１抽選用媒体を捕捉できる形状、サイズ、特性等を有する任意の部材で構成することが可能である。例えば、球形の第１抽選用媒体が転がり込む態様で第１抽選用媒体を捕捉する孔、凹み乃至ポケットを「維持捕捉部」及び／又は「当選捕捉部」とすることも可能であり、強磁性の第１抽選用媒体を磁力で捕捉する磁石で「維持捕捉部」及び／又は「当選捕捉部」を構成することも可能である。「当選捕捉部」の形状、サイズ、特性等は、「維持捕捉部」と同一でも良く、相違しても良い。
【００１７】
本発明では、前記第１抽選部が、前記維持捕捉部及び前記当選捕捉部に捕捉されなかった前記第１抽選用媒体を捕捉する回収部を更に有することが好ましく、これにより、第１抽選の態様を多様化することが可能である。本発明の「回収部」は、「維持捕捉部」、「当選捕捉部」と同様の構成とすることができる。
【００１８】
本発明では、前記「入」状態の前記維持捕捉部の数が多くなる程、前記第１抽選において前記当選捕捉部が前記第１抽選用媒体を捕捉する確率が高くなることが好ましく、この場合は、「入」状態の維持捕捉部の数が増えたときの遊技者の期待感を一層大きくできるため、反復傾向を一層高めることが可能である。
【００１９】
本発明では、前記第１抽選において前記当選捕捉部が前記第１抽選用媒体を捕捉したときに、前記「入」状態の前記維持捕捉部に捕捉されていた前記第１抽選用媒体が前記第２抽選用媒体として前記第２投入部から前記第２抽選部に投入されることにより前記第２抽選が行われることが好ましい。この場合は、必然的に第１，第２抽選部で共通の抽選用媒体が使用されることになる。
【００２０】
本発明では、前記第２抽選部に投入された前記第２抽選用媒体の数に応じた数の第３抽選用媒体を前記第２抽選の終了後に前記第１抽選部に投入する第３投入部を更に有すること、又は、前記第２抽選部に投入された前記第２抽選用媒体を第３抽選用媒体として前記第２抽選の終了後に前記第１抽選部に投入する第３投入部を更に有することが好ましい。
【００２１】
この場合、第３投入部から投入された第３抽選用媒体は、ある確率で維持捕捉部に捕捉されることになる。そのため、第２抽選が行われたこと、或いは、それにより「入」状態の維持捕捉部の数が減少したことが抽選を止める契機になってしまう不都合を防止することが可能である。
【００２２】
本発明では、前記第３投入部から前記第１抽選部に投入された前記第３抽選用媒体が前記当選捕捉部に捕捉されることを阻止する阻止手段を更に備えることが好ましい。
【００２３】
この場合は、第２抽選の終了後に第３投入部から投入された第３抽選用媒体が当選捕捉部に捕捉されて再度第２抽選が行われる不都合を防止することが可能になる。
【００２４】
本発明では、前記第３投入部は、前記当選捕捉部を開放する状態と遮蔽する状態の間での遷移が可能であり、前記第３投入部が前記第３抽選用媒体を前記第１抽選部に投入する際に前記第３投入部が前記遮蔽する状態に遷移することにより、前記第３投入部から前記第１抽選部に投入された前記第３抽選用媒体が前記当選捕捉部に捕捉されることが阻止されることが好ましい。
【００２５】
この場合は、第３投入部が阻止手段の役割を併有するため、部品点数の削減及び／又は装置コストの低減を図ることが可能である。
【００２６】
本発明では、前記第２抽選部が、前記第２投入部から投入された前記第２抽選用媒体を１つだけ捕捉することが可能な少なくとも１つの通常捕捉部と、前記第２投入部から投入された前記第２抽選用媒体を捕捉することが可能な少なくとも１つのＪＰ捕捉部を有することが好ましい。
【００２７】
この場合、通常捕捉部が第２抽選用媒体を捕捉すると、ＪＰ捕捉部が第２抽選用媒体を捕捉する確率が高くなる。そのため、第２抽選で第２抽選部に投入される第２抽選用媒体の数が増えれば、ＪＰ捕捉部に第２抽選用媒体が捕捉される確率は大幅に高くなる。これにより、「入」状態の維持捕捉部の数が増えたときの遊技者の期待感を一層大きくし、反復傾向を一層高めることが可能である。
【００２８】
「通常捕捉部」及び／又は「ＪＰ捕捉部」は、「維持捕捉部」、「当選捕捉部」と同様の構成とすることができる。
【００２９】
本明細書には、
相互に接近、離間する方向に移動可能な第１抽選板と第２抽選板を備える抽選装置であって、
前記第１抽選板は、前記第２抽選板に対向する第１側辺を有し、
前記第２抽選板は、前記第１抽選板に対向する第２側辺を有し、
前記第１，第２抽選板の少なくとも一方は、抽選用媒体が移動可能な移動面と、前記移動面を移動する前記抽選用媒体を捕捉可能な１又は複数の捕捉部を有し、
前記第１，第２抽選板を所定距離だけ離間させたときに前記第１，第２側辺により前記抽選用媒体を誘導する誘導路が形成され、
前記第１，第２抽選板を接近させることで前記抽選用媒体が前記誘導路から前記移動面に移動することを特徴とする抽選装置（第２発明）が開示される。
【００３０】
第２発明では、第１，第２側辺が離間しているときには抽選用媒体が第１，第２側辺により形成される誘導路上を移動し、第１，第２側辺が接近したときに抽選用媒体が移動面に移動するという従来に無い態様の抽選を行うことが可能となる。第２発明における抽選の結果は、移動面に移動した抽選用媒体が捕捉部に捕捉されるか否か、或いは、いずれの捕捉部に捕捉されるか等により決定することが可能である。
【００３１】
第２発明における抽選用媒体は、第１発明の第１、第２抽選用媒体と同様のものを使用することが可能であり、第２発明における捕捉部は、第１発明の維持捕捉部等と同様のものを使用することが可能である。
【図面の簡単な説明】
【００３２】
【図１】本発明の実施形態に係る抽選装置を示す説明図。
【図２】操作パネルを示す説明図
【図３】本体装置の下方部分を示す斜視図。
【図４】本体装置の下方部分を示す平面図。
【図５】基台、第１抽選盤及び第１内周壁を示す説明図。
【図６】閉鎖捕捉体を示す説明図。
【図７】通過捕捉体を示す説明図。
【図８】変形形態に係る通過捕捉体を示す説明図。
【図９】誘導体を示す説明図。
【図１０】係止体を示す説明図。
【図１１】誘導面と係止面によるボールの揚送の態様を示す説明図。
【図１２】誘導体及び係止体を取り外した状態の第２抽選部の単一サテライト部分を示す説明図。
【図１３】第２抽選盤を示す説明図。
【図１４】本体装置の上方部分を示す説明図。
【図１５】抽選装置の制御系統を示す説明図。
【図１６】抽選処理のフローを示す説明図。
【発明を実施するための形態】
【００３３】
以下、図面に従って本発明の好ましい実施形態を説明する。
【００３４】
図１は、本発明の実施形態に係る例示的な抽選装置（遊技機）１の外観を示す説明図である。
【００３５】
図示のように、抽選装置１は、主として基体２と上部構造体３から構成されている。
【００３６】
図示の例では、基体２は平面視で概略正方形の外形を有しており、その４辺が１人（又は１組）の遊技者により使用されるサテライト４（４Ａ〜４Ｄ）となっている。各サテライト４は操作パネル５、メダル払出口１０及び硬貨払出口１１を有している。
【００３７】
図２は、操作パネル５を拡大して示す説明図である。
【００３８】
図示のように、操作パネル５は、メダル投入口１２、メダル増ボタン１３ａ、メダル減ボタン１３ｂ、抽選ボタン１４、硬貨投入口１５、精算ボタン１６、クレジット表示部１７、ベット数表示部１８を有している。遊技者は、メダル投入口１２又は硬貨投入口１５からメダル又は硬貨を投入することでクレジット表示部１７のクレジットを増加させることができ、増減ボタン１３を操作することでベット数表示部１８の数値をクレジットの範囲で増減させることが可能であり、抽選ボタン１４を操作すると、ベット数表示部１８に表示された数値をベット数とした抽選が行われる。精算ボタン１６を操作すると、クレジット表示部１７に表示される枚数のメダルがメダル払出口１０に払い出される。詰まった硬貨や正常に検出できなかった硬貨は硬貨払出口１１に払い出される。
【００３９】
上部構造体３は、基体２に立設された４本の柱６と、柱６の上部に載置された天井７と、柱６間に張られたアクリル等の透明板８を有している。透明板８から見える上部構造体３内の空間が抽選を行うためのゲームフィールドＧＦであり、当該ゲームフィールドＧＦに抽選用媒体を用いた抽選を行う本体装置９が設置されている。本実施形態では抽選用媒体として球形の有体物であるボールＢが使用されるが、それ以外の抽選用媒体を使用することも可能である。
【００４０】
本体装置９は、下方部分９Ａと上方部分９Ｂから構成されている。後述のように、下方部分９Ａは、４つのサテライト４それぞれにおける抽選に使用される専用領域を含むが、上方部分９Ｂは、４つのサテライト４の共用となっている。
【００４１】
図３，４は、本体装置９の下方部分９Ａの外観を示す説明図であり、図３では斜視図により、図４では平面図により下方部分９Ａが示されている。
【００４２】
下方部分９Ａは、それぞれ異なる高さ位置に設置された１段目抽選部２０，２段目抽選部３０及び３段目抽選部４０を有している。
【００４３】
１段目抽選部２０は、基台２１，ボール投入装置２２，第１レーン２３，第１内周壁２４及び第１抽選盤２５を有している。
【００４４】
基台２１は、基体２に取り付けられた板状の部材である。
【００４５】
各サテライト４における基台２１の左端位置には、ボールＢを第１レーン２３に投入するためのボール投入装置２２が据え付けられている。ボールＢは、各サテライト４で同一仕様（材質、サイズ、色等）のものを使用しても良く、異なる仕様のものを使用しても良い。
【００４６】
基台２１には、サテライト４毎に第１レーン２３が敷設されている。
【００４７】
第１レーン２３は、正面視では中央部ほど低くなるように凹状（円弧状）に湾曲した板状の部材である。平面視では、第１レーン２３は、仰角が概略９０度の円弧（扇形）形状を有している。
【００４８】
第１レーン２３の上面は、ボールＢが移動（転動）することが可能な移動面であり、当該移動面には中央部ほど内周側に向けて下降するように傾斜が与えられている。第１レーン２３は、ボールＢを移動面上で円滑に移動させることができる物性、サイズ、形状等を有する材料で構成されている。移動面は、その外周側及び内周側にそれぞれ所定高さで起立する外壁２３ａ及び内壁２３ｂを有し、内壁２３ｂの概略中央の第１レーン２３が最も低くなった位置には、ボールＢが通過可能なサイズの切欠２３ｃが形成されている。
【００４９】
第１レーン２３から所定距離離間した内周側位置には、所定高さの第１内周壁２４が立設されている。第１内周壁２４には、サテライト４毎に外周側に向けて所定長さ突出する係合ピン２４ａ（図４）が取り付けられている。係合ピン２４ａの取付位置は、第１レーン２３の切欠２３ｃよりも、後述する第１抽選盤２５の回転方向Ｒ１側に僅かにずれた位置である。係合ピン２４ａの先端は、後述の傾斜面６７ａとの摩擦軽減のために回転可能とすることができる。
【００５０】
基台２１，第１レーン２３及び第１内周壁２４は相互に対して不動であり、抽選装置１の筐体の一部を構成する。
【００５１】
下方部分９Ａは更に、筐体に対して可動の部材である平面視円環形状の第１抽選盤２５を有している。第１抽選盤２５は、回転軸Ｒの周りで筐体に対して回転する。第１抽選盤２５の回転速度、回転方向等は任意であるが、本実施形態の第１抽選盤２５は図示のＲ１方向に回転する。
【００５２】
第１抽選盤２５の回転位置は、後述のＣＰＵ９１によりリアルタイムで把握乃至検出可能とされている。回転位置の把握／検出は、ステッピングモータを用いて回転を制御し、或いは、ロータリーエンコーダーによる検出を行うなど、任意の公知の手法により行うことが可能である。
【００５３】
図５は、基台２１、第１抽選盤２５及び第１内周壁２４の単一サテライト部分を拡大して示す説明図であり、図５（Ａ）では斜視図により、図５（Ｂ）では平面図により当該部分が示されている。図５では第１レーン２３等の一部の部材は省略されている。
【００５４】
図示のように、基台２１には回転軸Ｒを中心とする所定径の円形開口２１ａが形成されており、当該円形開口２１ａの内周側に第１抽選盤２５が位置している。
【００５５】
図示のように、基台２１には回転軸Ｒを中心とする所定径の円形開口２１ａが形成されており、当該円形開口２１ａの内周側に第１抽選盤２５が位置している。
【００５６】
第１抽選盤２５は、円形開口２１ａの内周側にこれと同心に配置された円環状の回転輪２５ａと、回転輪２５ａの螺子穴２５ｂにネジ留めされた１又は複数の閉鎖捕捉体５０及び１又は複数の通過捕捉体６０を有している。
【００５７】
図６（Ａ），（Ｂ）は、閉鎖捕捉体５０をそれぞれ前方及び後方から示す説明図である。
【００５８】
図示のように、閉鎖捕捉体５０は、回転輪２５ａにネジ留めするための螺子穴５１が形成された基部５２と、基部５２の前方に設けられた所定高さの壁体５３と、壁体５３から前方に延出し、底面が基部５２よりも１段高くなった２本の脚部５４と、壁体５３の上面に設けられたプラグ５５を有している。上記２本の脚部５４は、相互に所定距離離間し、両者の間にボールＢを１つだけ捕捉（収容）可能なサイズ、形状の閉鎖捕捉部５８が形成される。閉鎖捕捉部５８の後方には壁体５３が起立しているために、閉鎖捕捉部５８に捕捉されたボールＢは壁体５３の後方には移動できない。また、 図３のように、閉鎖捕捉部５８に切欠２３ｃが正対する位置を除き、閉鎖捕捉部５８の前方には内壁２３ｂが起立しているために、閉鎖捕捉部５８に捕捉されたボールＢは内壁２３ｂの前方には移動できない。したがって、閉鎖捕捉部５８に一旦捕捉されたボールＢは、後述の回収口２１ｃに回収されるまで閉鎖捕捉部５８に保持される。
【００５９】
プラグ５５には、図６（Ｃ）のように、抽選結果を示す情報パネル５６等を取り付けることが可能である。
【００６０】
図７（Ａ），（Ｂ）は、通過捕捉体６０を前方及び後方からそれぞれ拡大して示す説明図である。
【００６１】
図示のように、通過捕捉体６０は、回転輪２５ａにネジ留めするための螺子穴６１が形成された所定高さの２つの基部６２と、各基部６２から前方に延出し、下面が基部６２よりも１段高くなった２本の脚部６３と、脚部６３の上面に立設された２本のピン６４と、ピン６４を案内する２つの孔６５が形成された開閉板６６と、開閉板６６の背部に設けられた係止片６７を有している。上記２本の脚部６３は、相互に所定距離離間し、両者の間にボールＢを１つだけ捕捉（収容）可能なサイズ、形状の通過捕捉部６８が形成される。両脚部６３の対向する側面には、後方に向けて傾斜する底面板６３ａが突設されており、通過捕捉部６８に捕捉されたボールＢには後方に向かう力が作用する。係止片６７には、第１内周壁２４の係合ピン２４ａに係合する傾斜面６７ａが形成されている。
【００６２】
図７（Ｃ）には通過捕捉部６８が閉鎖状態とされた通過捕捉体６０が、図７（Ｄ）には通過捕捉部６８が開放状態とされた通過捕捉体６０が示されている。
【００６３】
図７（Ｃ）の閉鎖状態では、開閉板６６が下方位置にあるために、通過捕捉部６８に捕捉されたボールＢは開閉板６６の後方に移動することができない。一方、開閉板６６に上方への力が作用すると、図７（Ｄ）のように開閉板６６はピン６４に沿って上方に移動する結果、両脚部６３間に通路６９が形成されて通過捕捉部６８は開放状態となり、通過捕捉部６８に捕捉されたボールＢは底面板６３ａの傾斜に従って通路６９を通過して開閉板６６の後方側に移動する。
【００６４】
図５に示されるように、閉鎖捕捉体５０及び通過捕捉体６０は、開閉板６６及び壁体５３の前方端を回転輪２５ａの外周端に概略一致させ、当該外周端の外周側に脚部５４，６３を突出させるように回転輪２５ａに取り付けられている。その結果、第１抽選盤２５のすべての閉鎖捕捉部５８及び通過捕捉部６８は回転軸Ｒを中心とする円形開口２１ａよりも大径の円周上に配列される。したがって、閉鎖捕捉部５８及び通過捕捉部６８の全体又は少なくとも一部は基台２１上に位置するが、脚部５４，６３の底面が基部５２，６２よりも所定寸法だけ高くなっているため、第１抽選盤２５は脚部５４，６３を基台２１に接触させることなく回転することが可能である。
【００６５】
閉鎖捕捉体５０及び通過捕捉体６０が回転輪２５ａに取り付けられたときの壁体５３及び脚部６３の内周側端と第１内周壁２４の外周側端の間に幅寸法ｄ１の間隙２５ｃが形成される。この寸法ｄ１は、ボールＢの径以上の寸法であり、通過捕捉部６８の通路６９から間隙２５ｃに移動したボールＢは、間隙２５ｃ内で周方向に移動することができる。
【００６６】
基台２１は、サテライト４毎の閉鎖捕捉部５８及び通過捕捉部６８の回転半径位置（上記円周上の位置／回転軸Ｒからの距離が閉鎖捕捉部５８及び通過捕捉部６８と同一となる位置）に、検知手段２１ｂ及び回収口２１ｃを有している。検知手段２１ｂは閉鎖捕捉部５８又は通過捕捉部６８に捕捉されたボールＢを検知するためのものである。検知手段２１ｂを含む本実施形態におけるすべての検知手段は、機械式、光学式、電磁式等の任意の方式でボールＢ（又はＢ’）を検出するものとすることができる。回収口２１ｃは閉鎖捕捉部５８に捕捉されたボールＢを下方部分９Ａの内部に設置された不図示のボール回収路に回収するためのものである。ボール回収路に回収したボールＢは、ボール投入装置２２に導かれて循環使用される。
【００６７】
検知手段２１ｂ及び回収口２１ｃの円周方向位置は必要に応じて適宜適切に決定することができるが、本実施形態では、検知手段２１ｂは各サテライト４の概略中央位置（より正確には、第１レーン２３の切欠２３ｃ（図３参照）と一致する位置またはそれよりも若干回転方向Ｒ１側の位置）に配置され、回収口２１ｃは、各サテライト４における最も回転方向Ｒ１側の位置に配置されている。
【００６８】
１段目抽選部２０では、ボール投入装置２２から投入されたボールＢは、凹状に湾曲した第１レーン２３の移動面を左右に転動する。その後の時間経過によりある程度以下の速度となったボールＢが切欠２３ｃを通過するタイミングで、いずれかの閉鎖捕捉部５８又は通過捕捉部６８と切欠２３ｃの円周方向位置が一致すると、移動面の内周側への傾斜によりボールＢは切欠２３ｃを通過してその閉鎖捕捉部５８又は通過捕捉部６８に捕捉される（転がり込む）。捕捉されたボールＢは、もはや移動面で移動しない。
【００６９】
ボールＢが閉鎖捕捉部５８に捕捉された場合は、ボールＢはそのまま閉鎖捕捉部５８に保持され、半径方向内方には移動できないため、ボールＢは閉鎖捕捉部５８の回転半径位置に配置された検知手段２１ｂにより必ず検知される。
【００７０】
本発明において抽選結果としてどのような事項を決定し、どのような場合にどのような方法で抽選結果を決定するかは任意であるが、本実施形態での抽選結果はオッズ（数値）であり、ボールＢが閉鎖捕捉部５８に捕捉された場合には、どの閉鎖捕捉部５８にボールＢが捕捉されたかに応じてオッズが決定される。
【００７１】
より具体的には、閉鎖捕捉部５８にはそれぞれ複数種類のオッズのいずれかが割り当てられており、検知手段２１ｂによるボールＢの検知タイミングから把握される第１抽選盤２５の回転位置に基づいてボールＢを捕捉した閉鎖捕捉部５８が特定され、その特定された閉鎖捕捉部５８に割り当てられたオッズが抽選結果として決定される。
【００７２】
閉鎖捕捉部５８に割り当てるオッズをどの程度の値とするかは任意であるが、本実施形態では、「０」〜「５」程度の比較的小さいオッズが割り当てられている。
【００７３】
閉鎖捕捉部５８に捕捉されたボールＢは、閉鎖捕捉部５８が回収口２１ｃまで回転したときに回収口２１ｃから落下してボール回収路に回収され、これにより、１回の抽選処理が終了する。
【００７４】
ボールＢが通過捕捉部６８に捕捉された場合には、ボールＢが検知手段２１ｂによる検知が可能な位置に到達するまでは、通過捕捉部６８は図７（Ｃ）の閉鎖状態にあるため、検知手段２１ｂはボールＢを確実に検知することができる。
【００７５】
第１抽選盤２５が当該位置から更に回転方向Ｒ１に回転すると、係合ピン２４ａが傾斜面６７ａに当接して開閉板６６を上方に押し上げるため、通過捕捉部６８は図７（Ｄ）の開放状態に移行し、ボールＢは底面板６３ａの傾斜に従って通路６９を内周側に通過し、開閉板６６、第１内周壁２４及び両脚部６３の間のスペース６９ａ（図７（Ｂ））に保持される。
【００７６】
第１抽選盤２５が更に回転して係合ピン２４ａが傾斜面６７ａから離れると、開閉板６６は係合ピン２４ａの支持を失って通過捕捉部６８は図７（Ｃ）の閉鎖状態に復帰する。そのため、後述の係止面８３との当接等によりボールＢに外周側への力が作用した場合でも、ボールＢが開閉板６６の外周側に移動すること（通過捕捉部６８に戻ってしまうこと）を防止できる。
【００７７】
図８は、変形形態に係る通過捕捉体６０’を示す説明図である。
【００７８】
この通過捕捉体６０’は、通過捕捉体６０と同様の構成に加え、前方端が底面板６３ａと連続し、後方に向けて下降する傾斜を有する傾斜板６３ｂを有している。また、両基部６２は、脚部６３よりも回転方向Ｒ１の逆側に位置し、回転方向Ｒ１の逆側の基部６２の端部６２ａと傾斜板６３ｂの端部６３ｃが離間して、両者の間にスペース６９ｂが形成されている。通過捕捉体６０’は、通過捕捉体６０と同様のピン６４、開閉板６６、係止片６７（不図示）を備えることができる。
【００７９】
通過捕捉体６０’では、通過捕捉部６８から通路６９を通過したボールＢは、スペース６９ｂに保持される（図８（Ｂ））が、端部６３ｃが外周側に向かうほど高くなる段差となっているために、スペース６９ｂに保持されたボールＢに外周側への力が作用した場合でも、ボールＢが通過捕捉部６８に戻ってしまうことを防止できる。したがって、通過捕捉体６０’を使用する場合は、係合ピン２４ａ、ピン６４、開閉板６６、係止片６７等を省略することも可能である。
【００８０】
図３，４に戻って、第２段階の抽選を行う２段目抽選部３０は、誘導体７０、係止体８０、ガイド３１，第２抽選盤３２，第２内周壁３９等を有している。第２抽選盤３２は、第１抽選盤２５よりも高い位置にある。２段目抽選部３０は、第１発明の第１抽選部に相当し、２段目抽選部３０が行う第２段階の抽選は、第１発明の第１抽選に相当する。
【００８１】
図９（Ａ）〜（Ｃ）は、誘導体７０を前方、後方及び上方から示す説明図である。
【００８２】
図示のように、誘導体７０は、ネジ留めのための螺子穴７１が設けられた基部７２と、基部７２から立ち上がる誘導面７３と、誘導面７３の上部に連続して設けられた突起７４と、誘導面７３の前方側を覆うカバー７５を有している。誘導面７３は、ボールＢが円滑に移動できる程度の平滑性を有している。
【００８３】
誘導体７０は、基部７２を閉鎖捕捉体５０の基部５２上に重ねるようにして螺子穴７１を回転輪２５ａにネジ留めされる。したがって、誘導体７０は、第１抽選盤２５と一体となって回転方向Ｒ１に向けて回転する。
【００８４】
誘導体７０が回転輪２５ａに取り付けられた状態では、誘導面７３は、鉛直方向Ｖに対して所定角度α１だけ回転方向Ｒ１の逆側に傾斜し（誘導面７３の法線Ｎ１が回転方向Ｒ１に対して所定角度α１だけ上方に傾斜し）、平面視では半径方向ｒ（図４参照）に対して所定角度β１だけ回転方向Ｒ１側に傾斜する（誘導面７３の法線Ｎ１が、回転方向Ｒ１に対して内周側に所定角度β１だけ傾斜する）。また、突起７４は、誘導面７３の上端から誘導面７３の内周側に張り出した凸状部を形成する。
【００８５】
誘導面７３は、間隙２５ｃの外周寄りに位置し、誘導面７３の幅寸法は、その内周側端から第１内周壁２４の外周側端までの距離ｄ２（図５（Ｂ）参照）がボールＢの径未満となるよう設定されている。したがって、回転方向Ｒ１に回転する誘導面７３により、間隙２５ｃにあるボールＢを回転方向Ｒ１に向けて駆動する（ボールＢに回転方向Ｒ１に向かう力を作用させる）ことができる。
【００８６】
図１０（Ａ）〜（Ｃ）は、係止体８０を前方、後方及び上方から示す説明図である。
【００８７】
係止体８０は、第１内周壁２４に対してネジ留めするための螺子穴８１と、基部８２と、基部８２から立ち上がる係止面８３と、係止面８３の上端に連続する上面８４と、係止面８３と上面８４の境界から係止面８３上に張り出した張出面８５を有している。係止面８３は、ボールＢが円滑に移動できる程度の平滑性を有している。
【００８８】
係止体８０は、各サテライト４における最も回転方向Ｒ１側の位置に螺子穴８１によって第１内周壁２４にネジ留め固定される。したがって、係止面８３は筐体に対して不動であり、第１抽選盤２５に対しては、相対的に回転方向Ｒ１の逆方向に回転する。
【００８９】
係止体８０が第１内周壁２４に取り付けられた状態で、係止面８３は、鉛直方向Ｖに対して所定角度α２だけ回転方向Ｒ１側に傾斜し（係止面８３の法線Ｎ２が回転方向Ｒ１の逆方向に対して上方に所定角度α２だけ傾斜し）、平面視では半径方向ｒに対して所定角度β２だけ回転方向Ｒ１側に傾斜する（係止面８３の法線Ｎ２が回転方向Ｒ１の逆方向に対して外周側に所定角度β２だけ傾斜する）。
【００９０】
また、上面８４は係止面８３との境界から回転方向Ｒ１側に向けて緩やかに上昇する傾斜を有し、張出面８５は係止面８３との境界から回転方向Ｒ１の逆側に向けて緩やかに上昇する傾斜を有し、上面８４と張出面８５の間に溝８６が形成されている。上面８４は、内周側に向かって下降する傾斜も有している。
【００９１】
係止面８３は、間隙２５ｃの内周寄りに位置し、係止面８３の幅寸法は、誘導面７３の内周端が係止面８３の外周端に接触せず、かつ、係止面８３の外周端から壁体５３及び脚部６３の内周端までの距離ｄ３（図５（Ｂ）参照）がボールＢの径よりも小さくなるように設定されている。したがって、第１抽選盤２５は誘導体７０を係止体８０に接触させることなく回転することが可能であり、間隙２５ｃのボールＢは、係止面８３を越えて回転方向Ｒ１側に移動することはできない。
【００９２】
図１１は、誘導面７３と係止面８３がすれ違っていく際にボールＢが揚送される態様を示す説明図である。
【００９３】
サテライト４の概略中央位置で通過捕捉部６８に捕捉されてスペース６９ａに移動したボールＢは、スペース６９ａに保持された状態で、第１抽選盤２５の回転（通過捕捉体６０の回転）に伴って回転方向Ｒ１に向けて移送され、サテライト４の最も回転方向Ｒ１側に移送されたところで係止面８３に当接する。
【００９４】
第１抽選盤２５が更に回転方向Ｒ１に回転すると、ボールＢは、係止面８３を越えて回転方向Ｒ１側に移動できないため、ボールＢはスペース６９ａから放出される。第１抽選盤２５は、ボールＢをその位置に留めたまま回転を継続し、やがては、回転輪２５ａに取り付けられたいずれかの誘導体７０の誘導面７３がボールＢに当接する（（図１１（Ａ））。
【００９５】
この状態から更に誘導面７３が回転方向Ｒ１に回転すると、係止面８３が誘導面７３よりも回転方向Ｒ１側に傾斜しているため、誘導面７３により回転方向Ｒ１に向けて駆動されるボールＢが係止面８３に沿って揚送されていく（図１１（Ｂ））。
【００９６】
そして、ボールＢが係止面８３の上端にまで揚送された以降は、突起７４によりボールＢは上面８４上を回転方向Ｒ１側に向けて押されるが、上面８４には、内周側に向けて下降する傾斜が与えられているため、ボールＢは、上面８４と張出面８５の間の溝８６に沿って内周側に落下する（図１１（Ｃ））。係止体８０の内周側下方にはガイド３１が設置されており、係止体８０から内周側に落下したボールＢは、ガイド３１に放出される。
【００９７】
なお、上面８４は回転方向Ｒ１側に上昇する傾斜を有するため、ボールＢには回転方向Ｒ１の逆側への力が作用するが、誘導面７３から内周側に張り出した突起７４と、係止面８３に張り出した張出面８５に遮られるため、ボールＢが上面８４から係止面８３に落下することが防がれる。
【００９８】
図１２は、誘導体７０及び係止体８０を取り外した状態の２段目抽選部３０の単一サテライト部分を示す説明図である。
【００９９】
ガイド３１は、係止体８０から落下したボールＢを受けて第２抽選盤３２の所定位置に放出するための部材であり、係止体８０の内周側の位置に配置されている。
【０１００】
第２抽選盤３２は、第１抽選板３３及び第２抽選板３４から構成されている。第１抽選板３３及び第２抽選板３４は、第２発明の第１抽選板及び第２抽選板に相当する。
【０１０１】
図１３（Ａ）、（Ｂ）には、第１抽選板３３及び第２抽選板３４が平面視で示されており、図１３（Ｃ）には、第１抽選板３３が側面視で示されている。
【０１０２】
図示のように、第１抽選板３３は、上面（第１移動面）３３Ｓと、第２抽選板３４に対向する第１側辺３３Ｅを有する板状の部材であり、第２抽選板３４は、上面（第２移動面）３４Ｓと、第１抽選板３３に対向する第２側辺３４Ｅを有する板状の部材である。
【０１０３】
第１，第２移動面３３Ｓ，３４Ｓは、ボールＢが円滑に移動できる程度の平滑性を有している。第１，第２移動面３３Ｓ，３４Ｓの形状は任意であるが、本実施形態では、図１３（Ｃ）に示すように、第１移動面３３Ｓは、側面視で両側部及び中央部が高く、その間が低くなったゆるやかなＷ状の湾曲形状を有している。第２移動面３４Ｓも同様の湾曲形状を有している。
【０１０４】
第１，第２側辺３３Ｅ，３４Ｅの形状は任意であるが、図１３（Ａ），（Ｂ）に示すように、本実施形態の第１，第２側辺３３Ｅ，３４Ｅは、平面視で直線状である。
【０１０５】
第１移動面３３Ｓには、上方に向けて延びる所定高さの複数の突起３３Ｐが第１側辺３３Ｅに沿って配列されている。第２移動面３４Ｓには、上方に向けて延びる所定高さの複数の突起３４Ｐが第２側辺３４Ｅに沿って配列されている。突起３３Ｐと突起３４Ｐは、第１、第２側辺３３Ｅ，３４Ｅに沿う方向で互い違いの位置に設けられている。
【０１０６】
第１、第２抽選板３３，３４は、第１，第２移動面３３Ｓ又は３４Ｓを移動するボールＢを捕捉する（ボールＢが転がり込む）ことが可能な１又は複数（図示の例では６つ）の回収捕捉部３５、１又は複数（図示の例では３つ）の維持捕捉部３６及び１又は複数（図示の例では１つ）の当選捕捉部３７を有している。回収捕捉部３５、維持捕捉部３６及び当選捕捉部３７の形状、サイズ等は任意であるが、本実施形態の回収捕捉部３５、維持捕捉部３６及び当選捕捉部３７は、ボールＢよりも僅かに大径の円形開口で形成されている。
【０１０７】
回収捕捉部３５は、下方部分９Ａの内部に設置されたボール回収路に連絡しており、回収捕捉部３５に捕捉されたボールＢは直ちにボール回収路に回収される。
【０１０８】
維持捕捉部３６及び当選捕捉部３７には、昇降装置１１４の駆動により昇降動作を行うイジェクター３８が取り付けられている。通常状態では、イジェクター３８が第１，第２移動面３３Ｓ，３４Ｓよりもボール半個分ほど低い位置にあり、維持捕捉部３６及び当選捕捉部３７に捕捉されたボールＢは、上半分を露出させた状態で保持される。
【０１０９】
本明細書では、維持捕捉部３６が上記のようにしてボールＢを捕捉している状態を「入」状態と言い、ボールＢを捕捉していない状態を「空」状態と言う場合があり、どの維持捕捉部３６が「入」状態であり、どの維持捕捉部３６が「空」状態となっているかの状況を、充足状況と言う場合がある。
【０１１０】
本実施形態の維持捕捉部３６は、「空」状態のときのみボールＢを捕捉することが可能であり、「入」状態の維持捕捉部３６は、ボールＢを捕捉することはできない。また、第２段階の抽選で「入」状態になった維持捕捉部３６は、次回以降の第２段階の抽選で当選捕捉部３７がボールＢを捕捉するまで、「入」状態に維持される。そのため、第２段階の抽選を繰り返すことで「入」状態の維持捕捉部３６が増えていき、それにつれて、当選捕捉部３７にボールＢが捕捉される確率が高くなる。
【０１１１】
回収捕捉部３５、維持捕捉部３６及び当選捕捉部３７は、ボールＢの捕捉を検知するための検知手段１１２を有している。
【０１１２】
上記回収捕捉部３５及び維持捕捉部３６の全部又は一部には、複数種類のオッズのいずれかが割り当てられている。このオッズをどの程度の値とするかは任意であるが、２段目抽選部３０での抽選で決定されるオッズの期待値が１段目抽選部２０のそれよりも大きくなるようなオッズ（例えば、「０」〜「１５」程度）とすることが考えられる。
【０１１３】
或いは、特定の１つ又は複数の回収捕捉部３５については、上記態様で規定のオッズを割り当てるとともに、他の１つ又は複数の回収捕捉部３５（変動捕捉部）については、維持捕捉部３６の充足状況に応じてオッズを変動させることも可能である。例えば、「入」状態の維持捕捉部３６が多いほど、変動捕捉部がボールＢを捕捉したとき決定するオッズを小さくし、また、その小さくする程度を「入」状態の維持捕捉部３６に割り当てられたオッズに応じて適切に変化させる（小さいオッズが割り当てられた維持捕捉部３６が「空」状態から「入」状態になったときには、変動捕捉部がボールＢを捕捉したときに決定するオッズを大幅に小さくする）ことにより、２段目抽選部３０の抽選で決定されるオッズの期待値が「入」状態の維持捕捉部３６の数によって変化しないようにし、或いは、その変化を小さくすることが可能である。
【０１１４】
本実施形態では、当選捕捉部３７にはオッズが割り当てられていないが、回収捕捉部３５及び維持捕捉部３６と同様又は異なる態様でオッズを割り当てることも可能である。
【０１１５】
第１，第２抽選板３３，３４は、開閉装置１１５の駆動によって開閉動作を行うことが可能である。すなわち、両者が所定距離（例えば、ボールＢの径よりも若干小さい距離）だけ離間した状態（図１３（Ａ））と両者が接近又は当接した状態（図１３（Ｂ））の間で移動させることが可能である。開閉動作の態様は任意であるが、本実施形態では、第１，第２側辺３３Ｅ，３４Ｅを平行に保ったままで、第１，第２抽選板３３，３４が接近、離間する。第１抽選板３３と第２抽選板３４の間の距離ｄ４が所定値以上の状態では、第１，第２側辺３３Ｅ，３４ＥによりボールＢを図１３（Ａ）に示すＸ１方向に誘導する誘導路が形成される。
【０１１６】
第２抽選盤３２は、揺動装置１１６の駆動によって水平方向の軸線Ａを中心として上下（図１３（Ｃ）のＸ２方向）に揺動することが可能である。
【０１１７】
２段目抽選部３０では、誘導体７０及び係止体８０により揚送されたボールＢが、ガイド３１を介して第２抽選盤３２に投入される。
【０１１８】
この時点では、第２抽選盤３２は、第１，第２抽選板３３，３４が適切な距離ｄ４だけ離間した状態（図１３（Ａ））にあり、ガイド３１から投入されたボールＢは、第１，第２側辺３３Ｅ，３４Ｅにより形成される誘導路に落下し、第２抽選盤３２のＸ２方向への揺動に従って誘導路内を左右方向（Ｘ１方向）に往復移動する。
【０１１９】
出願人が行った実験では、第１，第２移動面３３Ｓ，３４Ｓが平坦な（湾曲のない）第１，第２抽選板３３，３４を使用した場合には、誘導路内でのボールＢの往復移動における滞留時間がＸ１方向の両端付近で長く、中央付近で短くなり、そのために、両端付近の回収捕捉部３５にボールＢが捕捉される確率が高くなるなどの偏りを生じた。
【０１２０】
これに対し、第１，第２移動面３３Ｓ，３４Ｓを上記態様でＷ状に湾曲させた第１，第２抽選板３３，３４を使用した場合には、ボールＢの両側部及び中央部での滞留時間を均等化し、ボールＢが各回収捕捉部３５，維持捕捉部３６及び当選捕捉部３７に捕捉される確率の偏りを小さくすることが可能である。
【０１２１】
その後、開閉装置１１５により第１，第２抽選板３３，３４は相互に接近する方向に駆動され、両者の距離ｄ４が所定値以下になると（図１３（Ｂ））、ボールＢは第１，第２側辺３３Ｅ，３４Ｅにより形成される誘導路による誘導から開放されて第１，第２移動面３３Ｓ又は３４Ｓに移動する。
【０１２２】
このとき、ボールＢは、突起３３Ｐ,３４Ｐのいずれかに当接して第１，第２移動面３３Ｓ又は３４Ｓに向けて押されるため、確実にボールＢを第１，第２移動面３３Ｓ，３４Ｓに移動させることができる。また、ボールＢがどの突起３３Ｐ,３４Ｐに当接するかによって、抽選結果（ボールＢがどの回収捕捉部３５，維持捕捉部３６及び当選捕捉部３７に捕捉されるか）がある程度予測できるため、抽選の興趣性を一層高めることができる。
【０１２３】
また、回収捕捉部３５，維持捕捉部３６，当選捕捉部３７と突起３３Ｐ，３４Ｐの位置関係を適切に設定することで、回収捕捉部３５，維持捕捉部３６，当選捕捉部３７にボールＢが捕捉される確率を調整することも可能である。例えば、図示の例では、当選捕捉部３７と第２側辺３４Ｅの間に突起３４Ｐ１が配置され（当選捕捉部３７の概略中心から第２側辺３４Ｅに垂線を下ろした位置に突起３４Ｐ１が配置され）、これにより、当選捕捉部３７にボールＢが捕捉される確率が小さくなっている。このように、第１抽選板３３の特定の捕捉部３５〜３７と第１側辺３３Ｅの間に突起３３Ｐを配置し、或いは、第２抽選板３４の特定の捕捉部３５〜３７と第２側辺３４Ｅの間に突起３４Ｐを配置することで、その特定の捕捉部３５〜３７にボールＢが捕捉される確率を小さくすることができる。
【０１２４】
第１，第２移動面３３Ｓ,３４Ｓに移動したボールＢは、第２抽選盤３２の揺動に従って第１，第２移動面３３Ｓ,３４Ｓ上をしばらく移動するが、やがては、回収捕捉部３５，維持捕捉部３６，当選捕捉部３７のいずれかに捕捉される。
【０１２５】
ボールＢが回収捕捉部３５又は維持捕捉部３６に捕捉された場合には、それぞれに割り当てられたオッズが決定されて１回の抽選処理が終了となる。回収捕捉部３５に捕捉されたボールＢは、直ちにボール回収路に回収される。維持捕捉部３６に捕捉されたボールＢは、次回以降の第２段階の抽選でボールＢが当選捕捉部３７に捕捉されるまで、維持捕捉部３６に捕捉された状態に維持される。
【０１２６】
当選捕捉部３７にボールＢが捕捉された場合には、開閉装置１１５の駆動により第２抽選盤３２が第１，第２抽選板３３，３４が離間した状態（図１３（Ａ））に移動し、続いて、昇降装置１１４の駆動によって各維持捕捉部３６及び当選捕捉部３７のイジェクター３８が上昇して維持捕捉部３６及び当選捕捉部３７に捕捉されていたすべてのボールＢが第１，第２側辺３３Ｅ，３４Ｅにより形成される誘導路に向けて放出される。その後、揺動装置１１６の駆動により第２抽選盤３２が所定方向に傾斜することにより誘導路上のすべてのボールＢがリフト装置４１の取込口４１ａに送り込まれる。これにより、すべての維持捕捉部３６が「空」状態となる。
【０１２７】
第２抽選盤３２の内周側には、所定高さの第２内周壁３９が立設されている。第２内周壁３９には、開閉装置１１７の駆動によって開閉する扉３９ａが取り付けられている。扉３９ａは、ボールＢが通過可能な通路３９ｂにより３段目抽選部４０の通常捕捉部４４及びＪＰ捕捉部４５と連結されている。扉３９ａは、当選捕捉部３７と近接した位置に配置されており、扉３９ａが閉じた状態（図１２（Ａ））のときには当選捕捉部３７はボールＢを捕捉できるが、扉３９ａが開くと（図１２（Ｂ））、扉３９ａにより当選捕捉部３７の入口が遮蔽されて当選捕捉部３７がボールＢを捕捉できない状態になる。
【０１２８】
図３，４に戻って、第３段階の抽選を行う３段目抽選部４０は、リフト装置４１及び第３抽選盤４２を有している。第３抽選盤４２は第２抽選盤３２よりも高い位置にある。３段目抽選部４０は、第１発明の第２抽選部に相当し、３段目抽選部４０が行う第３段階の抽選は、第１発明の第２抽選に相当する。
【０１２９】
リフト装置４１は、取込口４１ａに送り込まれた１又は複数のボールＢを全て第３抽選盤４２に投入するものである。このように、リフト装置４１は第２投入部として機能し、「入」状態となっている維持捕捉部３６の数に、当選捕捉部３７が捕捉した第１抽選用媒体の数を加えた数の、第２抽選用媒体を第２抽選部に投入することとなる。なお、第２投入部は、「入」状態となっている維持捕捉部３６の数、及び、当選捕捉部３７が捕捉した第１抽選用媒体の数を検出し、検出した数の第２抽選用媒体を第２抽選部に投入するとしてもよい。この場合、それぞれの数を検出する方法は、各捕捉部に捕捉されている第２抽選用媒体を近接センサーで検知したり、取込口４１ａを通過する第２抽選用媒体を近接センサーで検知するなど、適宜の方法を用いればよい。さらに、この場合、第２投入部は、第１抽選用媒体とは異なる媒体を第２抽選用媒体として第２抽選部に投入することもできる。また、この場合、検出した数と同数の第２抽選用媒体を第２抽選部に投入しなくても良い。例えば、検出した数が「２」の場合は、「１」の第２抽選用媒体を第２抽選部に投入し、検出した数が「４」の場合は、「２」の第２抽選用媒体を第２抽選部に投入しても良い。なお、この場合、第２投入部は、「入」状態となっている維持捕捉部３６の数のみを検出し、検出した数の第２抽選用媒体を第２抽選部に投入するとしてもよい。
【０１３０】
第３抽選盤４２は、第２内周壁３９の内周側に位置し、ボールＢが円滑に移動できる程度の平滑性を有する移動面４３と、ボールＢを捕捉することが可能な１又は複数の通常捕捉部４４及び１又は複数のＪＰ捕捉部４５を有している。移動面４３の形状や、通常捕捉部４４及びＪＰ捕捉部４５の形状、サイズ、配置等は任意であるが、本実施形態では、移動面４３は、内周側に向けて下降する傾斜を設けられた円環形状であり、その内周位置にボールＢよりも僅かに大径の円形開口の形態の通常捕捉部４４及びＪＰ捕捉部４５が配列されている。
【０１３１】
第３抽選盤４２は、抽選結果の予測困難性を高めるなどを目的として、回転軸Ｒの周りで回転させることが可能である。第３抽選盤４２の例示的な回転方向Ｒ３が図３，４に示されている。
【０１３２】
通常捕捉部４４及びＪＰ捕捉部４５には、開閉装置１１８の駆動により開閉動作を行うシャッターが取り付けられており、シャッターが閉じた状態では、通常捕捉部４４，ＪＰ捕捉部４５に捕捉されたボールＢは、上半分程を露出させた状態で保持される。通常捕捉部４４，ＪＰ捕捉部４５は通路３９ｂと連絡しており、上記シャッターが開くと、通常捕捉部４４，ＪＰ捕捉部４５に捕捉されたボールＢは、通路３９ｂ及び扉３９ａを介して第２抽選盤３２に投入される。
【０１３３】
各通常捕捉部４４，ＪＰ捕捉部４５は、ボールＢの捕捉を検知するための検知手段１１３を有している。
【０１３４】
通常捕捉部４４の全部又は一部には、複数種類のオッズのいずれかが割り当てられている。このオッズをどの程度の値とするかは任意であるが、好ましい実施形態では、３段目抽選部４０での抽選で決定されるオッズの期待値が２段目抽選部３０のそれよりも大きくなるようなオッズ（例えば、「０」〜「３０」程度）が割り当てられる。本実施形態では、ＪＰ捕捉部４５にはオッズは割り当てられていないが、通常捕捉部４４と同様又は異なる態様でオッズを割り当てることも可能である。
【０１３５】
３段目抽選部４０では、リフト装置４１から第３抽選盤４２に投入された１又は複数のボールＢが、しばらくの間移動面４３を移動した後、いずれかの通常捕捉部４４，ＪＰ捕捉部４５に捕捉される（転がり込む）。
【０１３６】
この間、通常捕捉部４４，ＪＰ捕捉部４５のシャッターは閉じたままとなっており、各通常捕捉部４４，ＪＰ捕捉部４５は、２つ以上のボールＢを捕捉することはできない。そのため、第３抽選盤４２に投入されるボールＢの個数が増えると、ＪＰ捕捉部４５がボールＢを捕捉する確率が大幅に高くなる。
【０１３７】
通常捕捉部４４，ＪＰ捕捉部４５に捕捉されたボールＢは、検知手段１１３により検知され、ボールＢが通常捕捉部４４に捕捉された場合は、そのボールＢを捕捉した通常捕捉部４４に割り当てられたオッズに基づいて抽選結果が決定される。ボールＢがＪＰ捕捉部４５に捕捉された場合には、本体装置９の上方部分９Ｂを用いたＪＰ抽選（第４段階の抽選）が実行される。
【０１３８】
リフト装置４１から第３抽選盤４２に投入されたすべてのボールＢが通常捕捉部４４，ＪＰ捕捉部４５に捕捉されると、第３段階の抽選は終了となる。
【０１３９】
第３段階の抽選が終了すると（ボールＢがＪＰ捕捉部４５に捕捉された場合には、更に第４段階の抽選が終了すると）、開閉装置１１７，１１８の駆動により各通常捕捉部４４，ＪＰ捕捉部４５のシャッター及び扉３９ａが開放され、通常捕捉部４４，ＪＰ捕捉部４５に捕捉されていたすべてのボールＢが通路３９ｂ及び扉３９ａを介して第２抽選盤３２に投入されて第５段階の抽選が行われる。
【０１４０】
第５段階の抽選では、扉３９ａから放出された各ボールＢがしばらく第１，第２移動面３３Ｓ，３４Ｓ上を移動した後に、いずれかの回収捕捉部３５又は維持捕捉部３６に捕捉される。
【０１４１】
このように、第３段階の抽選の際に全ての維持捕捉部３６は「空」状態となるが、第５段階の抽選が行われることにより、維持捕捉部３６の全部又は一部が再度「入」状態になる可能性がある。これにより、次回の第２，第３段階の抽選に対する遊技者の期待感を高めることができ、第３段階の抽選が行われたことを契機に遊技者が抽選を止めてしまう不都合を防止することができる。
【０１４２】
また、第５段階の抽選に際して当選捕捉部３７の入口が扉３９ａにより遮蔽されるため、第５段階の抽選で投入されたボールＢが当選捕捉部３７に捕捉されて再度第３段階の抽選が実行される不都合を防止できる。
【０１４３】
第５段階の抽選で「入」状態になった維持捕捉部３６は、次回以降の第２段階の抽選で当選捕捉部３７がボールＢを捕捉するまで、「入」状態に維持される。
【０１４４】
図１４は、ＪＰ抽選を行う上方部分９Ｂの例示的な構成を示す説明図である。
【０１４５】
上方部分９Ｂは、アクリル等の透明部材で形成された底面が球面状に湾曲したカバー１０１と、外周に抽選用媒体であるボールＢ’を捕捉することができる６つの捕捉部１０３を有する捕捉体１０２と、捕捉体１０２と一体となって回転する回転コーン１０４を有している。回転コーン１０４は薄手のプラスチック成型品から構成されている。
【０１４６】
各捕捉部１０３には、複数種類のオッズのいずれかが割り当てられている。このオッズをどの程度の値とするかは任意であるが、本実施形態では、上方部分９Ｂでの抽選で決定されるオッズの期待値が１段目〜３段目抽選部２０，３０，４０のいずれにおける期待値よりも大きくなるようなオッズ（例えば、「１０」〜「１５０」程度）が各捕捉部１０３に割り当てられている。
【０１４７】
上方部分９Ｂで使用するボールＢ’にどのような素材を使用するか、下方部分９Ａで使用するボールＢと同一のものを使用するか否かなどは任意であるが、本実施形態では、ボールＢよりも比重の軽いウレタンスポンジ、硬質製樹脂剤、ゴム材などを用いたボールＢ’が使用される。
【０１４８】
回転コーン１０４には、下端から上方に向けて所定長のスリットが形成されている。当該スリットからはバー１０５が半径方向に延出し、バー１０５の先端にはロケット模型１０６が取り付けられている。バー１０５は回転コーン１０４と一体に回転するとともに、ＣＰＵ９１の制御によって上下動させることが可能である。
【０１４９】
上方部分９ＢでのＪＰ抽選は、回転コーン１０４が回転速度を上昇させ、これにより、ボールＢ’が捕捉部１０３から外方に放出されることにより開始される。
【０１５０】
その後、回転コーン１０４とともに回転するバー１０５又はロケット模型１０６がボールＢ’に接触できる高さまで下降し、ボールＢ’をバー１０５又はロケット模型１０６で押すことでボールＢ’をカバー１０１内で回転させる。
【０１５１】
一定時間の経過後、バー１０５はボールＢ’に接触しない位置まで上昇し、回転コーン１０４は通常状態の回転速度まで減速する。これにより、ボールＢ’は徐々に回転力を失い、やがてはいずれかの捕捉部１０３に捕捉される。各捕捉部１０３は、捕捉されたボールＢ’を検出するための検知手段１０７を有しており、ボールＢ’を捕捉した捕捉部１０３が検知手段１０７からの信号により特定され、特定された捕捉部１０３に割り当てられたオッズに基づいて抽選結果が決定され、これにより、上方部分９Ｂにおける１回のＪＰ抽選は終了となる。
【０１５２】
図１５は、抽選装置１が有する制御系統の構成を示す説明図である。
【０１５３】
図示のように、抽選装置１には、ＣＰＵ９１や記憶装置９２、入出力ポート９３等を搭載した制御基板（処理装置）９０が内蔵されている。
【０１５４】
ここで、ＣＰＵは、抽選装置１の制御動作の中枢となって装置全体を統括的に制御する情報処理装置である。
【０１５５】
記憶装置９２には、抽選プログラム９２ａ、オッズ割当テーブル９２ｂを始めとする抽選装置１の動作に必要となるプログラムやデータが記録されている。
【０１５６】
ここで、抽選プログラム９２ａは、種々のパラメータを生成処理し、各種周辺機器を駆動するなどにより、抽選装置１における抽選動作を制御するものである。
【０１５７】
オッズ割当テーブル９２ｂには、１段目抽選部２０の各閉鎖捕捉部５８、２段目抽選部３０の各回収捕捉部３５及び維持捕捉部３６、３段目抽選部４０の各通常捕捉部４４及び上方部分９Ｂの各捕捉部１０３に割り当てられたオッズが記録されている。
【０１５８】
記憶装置９２は、ＲＯＭ、ＲＡＭ、ハードディスク、フラッシュメモリ等の公知の記憶装置を単独又は組み合わせて構成することができる。
【０１５９】
制御基板９０には、入出力ポート９３を介して各種周辺機器が接続されており、ＣＰＵ９１が抽選プログラム９２ａに従ってこれら周辺機器との間で信号の授受を行うことにより、抽選装置１における抽選が実行される。
【０１６０】
上記周辺機器には、第１，第３抽選盤２５，４２及び回転コーン１０４を回転させるための回転装置１１１、第１抽選盤２５の回転位置をリアルタイムで検出するロータリーエンコーダー２５ｅ、昇降装置１１４、開閉装置１１５，１１７，１１８、揺動装置１１６、ボール投入装置２２、リフト装置４１、検知手段２１ｂ，１０７，１１２，１１３、装置内部にストックしたメダルを計数してメダル払出口１０に払い出すホッパー装置１１９、操作パネル５への操作を検出するスイッチ基板１２０などが含まれる。
【０１６１】
図１６は、本実施形態の抽選装置１において実行される抽選処理のフローを示す説明図である。
【０１６２】
図示のように、この抽選ゲームでは、ステップＳ１においてクレジットＣＲ、ベット数ＢＮの初期化が行われた後にステップＳ２においてメダル投入口１２及び硬貨投入口１５へのメダル又は硬貨投入が検査され、投入があった場合（Ｙｅｓ）にはステップＳ３においてメダル又は硬貨の別に応じた枚数（α枚）だけクレジットＣＲを増分した後に処理はステップＳ２に戻される。
【０１６３】
メダル又は硬貨の投入が検出されなかった場合（ステップＳ２：「Ｎｏ」）、ステップＳ４，Ｓ６でメダル増ボタン１３ａ又はメダル減ボタン１３ｂへの操作の有無が検査され、操作があった場合（Ｙｅｓ）には、それぞれステップＳ５，Ｓ７においてベット数ＢＮを増減した後に処理はステップＳ２に戻される。
【０１６４】
ステップＳ８では、精算ボタン１６への操作の有無が検査され、操作があった場合（Ｙｅｓ）には、ステップＳ９においてホッパー装置１１９が動作し、クレジットＣＲと同数のメダルがメダル払出口１０に払い出されて処理はステップＳ１に戻される。
【０１６５】
ステップＳ１０では、抽選ボタン１４への操作の有無が検査され、操作があった場合（Ｙｅｓ）には、処理はステップＳ１１に移行し、操作がなければ処理はステップＳ２に戻される。
【０１６６】
ステップＳ１１では、クレジットＣＲからベット数ＢＮが減算され、続くステップＳ１２では、ボール投入装置２２からボールＢが第１レーン２３に投入される。
【０１６７】
その後、検知手段２１ｂ，１１２からのボールＢの検知信号がモニタされ（ステップＳ１３）、検知手段２１ｂによりボールＢが検知された場合には、当該信号の検知時点と、ロータリーエンコーダー２５ｅからの信号により把握される第１抽選盤２５の回転位置からボールＢを捕捉した閉鎖捕捉部５８が特定され、検知手段１１２によりボールＢが検知された場合には、検知信号を発生させた検知手段１１２に基づいてボールＢを捕捉した回収捕捉部３５，維持捕捉部３６，当選捕捉部３７が特定される。（ステップＳ１４）。
【０１６８】
そして、ボールＢが閉鎖捕捉部５８，回収捕捉部３５，維持捕捉部３６のいずれかに捕捉された場合には、ステップＳ１５においてオッズ割当テーブル９２ｂが参照され、ステップＳ１４で特定された閉鎖捕捉部５８，回収捕捉部３５，維持捕捉部３６に割り当てられたオッズが抽選結果ＯＺとして決定される。
【０１６９】
ボールＢが当選捕捉部３７に捕捉された場合には、昇降装置１１４，開閉装置１１５，揺動装置１１６，リフト装置４１等が動作し、「入」状態の維持捕捉部３６及び当選捕捉部３７に捕捉されていたすべてのボールＢが第３抽選盤４２に投入される（ステップＳ１６）。
【０１７０】
その後、検知手段１１３からのボールＢの検知信号がモニタされ（ステップＳ１７）、検知信号を発生させた検知手段１１３に基づいてボールＢを捕捉した通常捕捉部４４及びＪＰ捕捉部４５が特定される（ステップＳ１８）。
【０１７１】
ステップＳ１８において、ＪＰ捕捉部４５でのボールＢの捕捉が検出されなかった場合（ＪＰ無し）には、ステップＳ１９においてオッズ割当テーブル９２ｂが参照されて、ステップＳ１８で特定された各通常捕捉部４４に割り当てられたオッズの加算値が抽選結果ＯＺとして決定される。
【０１７２】
ステップＳ１８において、ＪＰ捕捉部４５でのボールＢの捕捉が検出された場合（ＪＰ有り）には、上方部分９ＢにおけるＪＰ抽選が実行される。
【０１７３】
すなわち、ステップＳ２０において回転コーン１０４の回転速度が上昇することで捕捉部１０３からボールＢ’が放出され、ステップＳ２１で回転コーン１０４が定常速度まで減速し、ステップＳ２２では検知手段１０７によるボールＢ’の検知を待ってボールＢ’を捕捉した捕捉部１０３が特定される。その後、ステップＳ２３ではオッズ割当テーブル９２ｂが参照され、ステップＳ１８で特定された各通常捕捉部４４及びステップＳ２２で特定された捕捉部１０３に割り当てられたオッズの加算値が抽選結果ＯＺとして決定される。
【０１７４】
ステップＳ１９，Ｓ２３の後、処理はステップＳ２４に移行し、開閉装置１１７，１１８の駆動により扉３９ａ及び全ての通常捕捉部４４及びＪＰ捕捉部４５のシャッターが開放され、これにより、通常捕捉部４４及びＪＰ捕捉部４５に捕捉されていたすべてのボールＢが第２抽選盤３２に投入される。ステップＳ２４で投入されたボールＢは、回収捕捉部３５及び維持捕捉部３６のいずれかに捕捉される。
【０１７５】
ステップＳ２４で投入されたボールＢが回収捕捉部３５，維持捕捉部３６に捕捉されたことを何らかの形（例えば、ステップＳ１９，Ｓ２３で決定された抽選結果ＯＺにステップＳ２４で投入されたボールＢを捕捉した回収捕捉部３５，維持捕捉部３６に割り当てられたオッズを加算する等）で抽選結果ＯＺに反映させることも考えられるが、本実施形態では、特にそのような処理は行われない。
【０１７６】
ステップＳ２４で投入されたボールＢを捕捉することで「入」状態となった維持捕捉部３６は、次回以降の抽選処理でのステップＳ１６が行われるまで、「入」状態に維持される。
【０１７７】
ステップＳ１５又はＳ２４の後、ステップＳ１５，Ｓ１９又はＳ２３で決定された抽選結果ＯＺと、その時点で設定されているベット数ＢＮに基づいて配当ＰＯが算出され（ステップＳ２５）、更に、この配当ＰＯがクレジットＣＲに加算される（ステップＳ２６）。
【０１７８】
これにより、１回の抽選処理が終了し、次回の抽選処理を実行するべく処理をステップＳ２に復帰させる。
【０１７９】
以上、好ましい実施形態に基づいて本発明を説明したが、上記実施形態における抽選装置又はこれを構成する部材の形状、寸法、材質、機能構成、動作態様、制御態様、抽選装置の動作において使用するパラメータの種類、値の大小、算出方法等は単なる例として記載したものであり、これらは特許請求の範囲の記載内において任意に変更することが可能である。
【符号の説明】
【０１８０】
１・・・抽選装置、３・・・上部構造体、４・・・サテライト、５・・・操作パネル、６・・・柱、７・・・天井、８・・・透明板、９・・・本体装置、９Ａ・・・下方部分、９Ｂ・・・上方部分、１０・・・メダル払出口、１１・・・硬貨払出口、１２・・・メダル投入口、１３・・・増減ボタン、１４・・・抽選ボタン、１５・・・硬貨投入口、１６・・・精算ボタン、１７・・・クレジット表示部、１８・・・ベット数表示部、２０・・・１段目抽選部、２１・・・基台、２２・・・ボール投入装置、２３・・・第１レーン、２４・・・第１内周壁、２５・・・第１抽選盤、３０・・・２段目抽選部、３１・・・ガイド、３２・・・第２抽選盤、３３・・・第１抽選板、３４・・・第２抽選板、３５・・・回収捕捉部、３６・・・維持捕捉部、３７・・・当選捕捉部、３９・・・第２内周壁、４０・・・３段目抽選部、４１・・・リフト装置、４２・・・第３抽選盤、４３・・・移動面、４４・・・通常捕捉部、４５・・・ＪＰ捕捉部、５０・・・閉鎖捕捉体、５８・・・閉鎖捕捉部、６０・・・通過捕捉体、６８・・・通過捕捉部、７０・・・誘導体、８０・・・係止体、９０・・・制御基板、９１・・・ＣＰＵ、９２・・・記憶装置、９３・・・入出力ポート、１０１・・・カバー、１０２・・・捕捉体、１０３・・・各捕捉部、１０３・・・捕捉部、１０４・・・回転コーン、１０５・・・バー、１０６・・・ロケット模型、１０７・・・検知手段、１１１・・・回転装置、１１２，１１３・・・検知手段、１１４・・・昇降装置、１１５，１１７，１１８・・・開閉機構、１１６・・・揺動装置、１１７，１１８・・・開閉装置、１１９・・・ホッパー装置、１２０・・・スイッチ基板
【図１】
0005899999.tif 000002
【図２】
0005899999.tif 000003
【図３】
0005899999.tif 000004
【図４】
0005899999.tif 000005
【図５】
0005899999.tif 000006
【図６】
0005899999.tif 000007
【図７】
0005899999.tif 000008
【図８】
0005899999.tif 000009
【図９】
0005899999.tif 000010
【図１０】
0005899999.tif 000011
【図１１】
0005899999.tif 000012
【図１２】
0005899999.tif 000013
【図１３】
0005899999.tif 000014
【図１４】
0005899999.tif 000015
【図１５】
0005899999.tif 000016
【図１６】
0005899999.tif 000017